(57)【要約】      （修正有）【課題】紙を取り出しやすく工夫した蓋を有する紙類の収容ケースを提供する。【解決手段】蓋２と蓋が上下移動可能に収容される容器本体３からなる紙類の収容ケースであり、蓋は、蓋本体２１と、蓋本体に設けた紙の取り出し口２４と、蓋本体の四隅に設けた下方向に延びる脚部２６を有する。蓋本体は正面から見ても側面から見ても上方向に湾曲しており、四隅が蓋本体の最下部となっている。脚部がガイドとなり、蓋が使用者により容器内部に下されるとき、及び、蓋が自重で下がっていくときに容器壁に沿って水平を保ったまま移動する。また、蓋本体の荷重は四隅に最も重くかかるので、比較的に軽い力で紙を引き上げることができる。【選択図】図２
0003221407.tif 000002
【実用新案登録請求の範囲】
【請求項１】
蓋（２）とこの蓋（２）が上下移動可能に収容される容器本体（３）からなる紙類の収容ケース（１）であって、
前記蓋（２）は、蓋本体（２１）と、この蓋本体（２１）に設けた紙の取り出し口（２４）と、前記蓋本体（２１）の四隅に設けた下方向に延びる脚部（２６）を有する
ことを特徴とする、紙類の収容ケース（１）。
【請求項２】
蓋（２）とこの蓋（２）が上下移動可能に収容される容器本体（３）からなる紙類の収容ケース（１）であって、
前記蓋（２）は、蓋本体（２１）と、この蓋本体（２１）に設けた紙の取り出し口（２４）と、前記蓋本体（２１）の四隅に設けた下方向に延びる脚部（２６）を有し、
前記蓋本体（２１）は正面から見ても側面から見ても上方向に湾曲しており、前記四隅が前記蓋本体（２１）の最下部となっていることを特徴とする、紙類の収容ケース（１）。
【考案の詳細な説明】
【技術分野】
【０００１】
本考案は紙類の収容ケースに関する。本考案において「紙類」とは、紙が折り畳まれて箱型のケース内に収容され、使用者により１枚又は数枚ずつ取り出されるタイプのものである。典型的には、ペーパータオル、ティシュペーパー、キッチンペーパー、トイレットペーパーなどがある。以下、ペーパータオルを例にとって説明する。
【背景技術】
【０００２】
取り出し口付きの箱型のケースに収容されたペーパータオルを取り出す方式としては、大別すると次の２種類がある。すなわち、ロール状の紙を取り出し口からくるくると引き出すようにして取り出すタイプと、ジグザグ状に折り畳まれた紙を取り出し口からつまむようにして引き出すタイプである。本考案は後者のタイプに属する。
【０００３】
このタイプの従来技術として、例えば、意匠登録第１４４６５９４号、意匠登録第１０７０５２２号、意匠登録第１６２５２２６号が公知である。
【０００４】
上記意匠登録のケースでは、上方が開放された四角い容器の中に紙が折り畳まれて収容され、取り出し口付きの蓋がその紙の上に乗せられている。紙が少なくなると蓋は自重により降下していき、それにより紙が勝手に動かないようになっている。
【先行技術文献】
【特許文献】
【０００５】
【特許文献１】意匠登録第１４４６５９４号
【特許文献２】意匠登録第１０７０５２２号
【特許文献３】意匠登録第１６２５２２６号
【考案の概要】
【考案が解決しようとする課題】
【０００６】
しかし、これらの従来技術のケースの蓋を見ると、すべて１枚の平坦な板（木製又はプラスチック製と思われる）であり、次のような欠点がある。
【０００７】
第１に、上方が開放された四角い容器に１枚の平坦な板からなる蓋を乗せるときにうまく水平に乗せることができずに傾いたり途中で引っかかったりすることがある。
【０００８】
第２に、蓋が紙を均一な荷重で押し付けているために紙が整然と取り出しにくいことがある。紙を引き上げるのが中央の取り出し口であるのに、蓋により紙が全体的に均一に押さえ付けられているのが原因と思われる。
【０００９】
第３に、特に紙が購入時のプラスチック袋ごとケースに入れられる場合（実際にこのような使用の仕方をされることが多い）、紙がプラスチック袋の中でくしゃくしゃになってしまうことがある。紙とプラスチックでは摩擦係数が異なるのが原因であると思われる。
【００１０】
本考案はこれらの問題を解決して、紙を取り出しやすく工夫した蓋を有する紙類の収容ケースを提供することを目的とする。
【課題を解決するための手段】
【００１１】
上記課題を解決する本考案の紙類の収容ケース１は、蓋２とこの蓋２が上下移動可能に収容される容器本体３からなり、前記蓋２は、蓋本体２１と、前記蓋本体２１上に設けた紙の取り出し口２４と、前記蓋本体２１の四隅に設けた下方向に延びる脚部２６を有することを特徴とする。
【００１２】
好ましくは、前記蓋本体２１は正面から見ても側面から見ても上方向に湾曲しており、前記四隅が前記蓋本体２１の最下部となっている。
【考案の効果】
【００１３】
蓋は四隅に脚部を有するので、この脚部がガイドとなり、蓋が使用者により容器内部に下されるとき、及び、蓋が自重で下がっていくときに容器壁に沿って移動する。そのため、蓋は水平を保ったまま移動することができる。
【００１４】
また、四隅が蓋本体の最下点となっており、蓋本体の荷重は四隅に最も重くかかっている。他の部分も紙と接触するので、四隅以外は浮き上がっているとまでは言えないが、四隅に比べれば荷重は少ない。そのため、比較的に軽い力で紙を引き上げることができる。
【００１５】
さらに、紙が袋ごとケースに入れられる場合、四隅の脚部が袋を押さえるので紙を引き上げるときに袋が移動しにくい。そのため、紙だけを取り出すことができるので、袋がくしゃくしゃになるような事態を避けることができる。
【図面の簡単な説明】
【００１６】
【図１】本考案の１実施例に係るペーパータオルケースの斜視図である。
【図２】同ペーパータオルケースの展開斜視図である。
【図３】同ペーパータオルケースの蓋の（ａ）平面図、（ｂ）底面図（ｃ）正面図、（ｄ）側面図、（ｅ）上記（ａ）の中央断面図である。
【図４】同ペーパータオルケースの容器の（ａ）平面図、（ｂ）底面図（ｃ）正面図、（ｄ）側面図、（ｅ）上記（ａ）の中央断面図である。
【図５】同ペーパータオルケースの中央断面図であり、（ａ）紙がいっぱいのとき、（ｂ）紙が残り少なくなったときを示している。
【考案を実施するための形態】
【００１７】
以下、添付の図面に基づき、本考案の実施例を説明する。
【実施例１】
【００１８】
図１及び図２に示すように、本実施例のペーパータオルケース１は、上方が開放された四角い容器本体３の中に折り畳まれた紙Ｐが収容され、取り出し口２４付きの蓋２がその紙の上に乗せられている。紙が少なくなると蓋２は自重により降下していき、それにより紙Ｐが勝手に動かないようになっている。紙Ｐは購入時のプラスチック袋Ｂごとケースに入れられる場合と、袋Ｂから紙だけを取り出して入れられる場合がある。図２では袋ごとケースに入れている。
【００１９】
本考案は蓋２に主要な特徴がある。図２の斜視図及び図３の各図を参照して説明する。
【００２０】
蓋２は容器本体３の壁に縁部がスライドしながら下降する蓋本体２１を有する。蓋本体２１の面積は容器本体３の底面内法（壁内側）面積にほぼ等しい。
【００２１】
蓋本体２１の中央部において、蓋の長手方向全長にわたって頂部２３が平坦な隆起部２２が設けられている。隆起部２１の頂部２３には、長手方向に紙の取り出し口２４となる開口部が設けられ、隆起部２２の中央には切り込み２５が設けられている。切り込み２５は指で紙をつまみ上げる部分である。
【００２２】
蓋本体２１の四隅には下方向に脚部２６が延びている。この脚部２６は、蓋本体２１が使用者により容器本体３の内部に下されるとき、及び、自重で下がっていくときに容器壁３１に沿って移動するためのガイドとなる。脚部２６の長さは３〜１０ｍｍ程度で十分である。
【００２３】
添付の小さな図ではわかりにくいかもしれないが、蓋本体２１を正面（図３（ｃ））及び側面（図３（ｄ））から見ると、わずかに上向きの湾曲がつけられている。したがって、四隅が蓋本体２１の最下点となっており、蓋２の荷重は四隅に最も重くのしかかっている。
【００２４】
このような蓋２は、プラスチックで形成するのが最も簡単で経済的であるが、高級感を出したいときなどは木製や金属製であってもよい。
【００２５】
本考案で使用する容器本体３は、図４に示すように、従来のものと同じである。上部が開放され、底面３２から壁３１が立ち上がった直方体状の箱である。材質はプラスチックであることが普通である。紙Ｐの残量が分かるように透明とすることができる。
【００２６】
本実施例のペーパータオルケースの使用法は従来のものと同じである。
【００２７】
すなわち、いったん蓋２をケース１から取り出す。別売りのペーパータオルＰを袋Ｂごと又は紙だけにして、容器本体３に入れる（図２参照）。続いて、蓋２を載せ、最上部１枚目のペーパータオルの端を蓋の取り出し口２４から引き上げる（図５（ａ）参照）。以後、必要なときに必要な分量だけペーパータオルＰを指で引き上げて使用する。紙がなくなれば同じ要領で補充する。
【符号の説明】
【００２８】
１     紙の収容ケース（ペーパータオルケース）
２     蓋
２１   蓋本体
２１   隆起部
２２   隆起部
２３   頂部
２４   取り出し口
２５  切り込み
２６   脚部
３     容器本体
３１   容器壁
３２  容器底部
Ｂ     袋
Ｐ     紙（ペーパータオル）
【図１】
0003221407.tif 000003
【図２】
0003221407.tif 000004
【図３】
0003221407.tif 000005
【図４】
0003221407.tif 000006
【図５】
0003221407.tif 000007